(57)【要約】　　　（修正有）【課題】トレイ式メモリカードアダプタモジュールの提供。【解決手段】基板６０上に設置されたベース１０、ベース上をスライドして開放或いは閉合するトレイ２０で組成され、そのうちベースの底部に若干の貫通孔１４が設けられて基板の接点６１に対応し、トレイ底部の貫通孔に対応する位置に複数の端子５０が設置され、トレイがスライドさせられ開放されてメモリカードが収容される時、端子がメモリカード３０の入出力端子と接触し、トレイがスライドさせられ閉合される時、端子が貫通孔と整合し、並びに貫通孔を透過して基板の接点と電気的に連接されることを特徴とする。【選択図】　　　　図７
2004079494.tif 000002
【特許請求の範囲】
【請求項１】
基板上に設置されたベース、ベース上をスライドして開放或いは閉合してメモリカードを収容するトレイで組成され、該ベースの底部に若干の貫通孔が設けられて基板の接点に対応し、トレイ底部に貫通孔に対応する複数の端子が設置され、トレイがスライドさせられて開放されてメモリカードが収容される時、端子がメモリカードの入出力端子と接触し、トレイがスライドさせられ閉合される時、端子が貫通孔と整合し、並びに貫通孔を透過して基板の接点と電気的に連接されることを特徴とする、トレイ式メモリカードアダプタモジュール。
【請求項２】
請求項１に記載のトレイ式メモリカードアダプタモジュールにおいて、ベースに装置ケースに固定するための上蓋が設けられ、ベースの両側に別にスライドレールが設けられ、そのうち一側に一組のカード退出手段が設けられ、トレイの両側にベースのスライドレールに対応する案内溝が設けられ、トレイがベース上にあってスライドさせられ閉合させられるか、或いはカード退出手段が押圧されることによりトレイが開放されることを特徴とする、トレイ式メモリカードアダプタモジュール。
【請求項３】
請求項１に記載のトレイ式メモリカードアダプタモジュールにおいて、トレイの前縁に設けられた限位手段がトレイ上のメモリカードを位置決めすることを特徴とする、トレイ式メモリカードアダプタモジュール。
【請求項４】
基板上に設置されたベースと、ベース上をスライドして開放或いは閉合しメモリカードを収容するトレイを具え、該トレイの底部に複数の端子が設けられ、該端子がトレイ本体に固定される固定端と、それぞれ上向き、下向きに折り曲げられた第１弾性接触端、第２弾性接触端を具え、トレイがスライドさせられ開放されてメモリカードが収容される時、第１弾性接触端がメモリカードの入出力端子と接触し、トレイがスライドさせられ閉合される時、第２弾性接触端がベース下方の基板の接点と電気的に連接されることを特徴とする、トレイ式メモリカードアダプタモジュール。
【請求項５】
請求項４に記載のトレイ式メモリカードアダプタモジュールにおいて、ベースに若干の貫通孔が設けられて基板の接点と対応し、トレイがスライドさせられて閉合させられる時、第２弾性接触端が貫通孔と整合し、並びに貫通孔を透過して基板の接点と電気的に接触させられることを特徴とする、トレイ式メモリカードアダプタモジュール。
【請求項６】
請求項４に記載のトレイ式メモリカードアダプタモジュールにおいて、ベースに装置ケースに固定するための上蓋が設けられ、ベースの両側に別にスライドレールが設けられ、そのうち一側に一組のカード退出手段が設けられ、トレイの両側にベースのスライドレールに対応する案内溝が設けられ、トレイがベース上にあってスライドさせられ閉合させられるか、或いはカード退出手段が押圧されることによりトレイが開放されることを特徴とする、トレイ式メモリカードアダプタモジュール。
【請求項７】
請求項４に記載のトレイ式メモリカードアダプタモジュールにおいて、トレイの前縁に設けられた限位手段がトレイ上のメモリカードを位置決めすることを特徴とする、トレイ式メモリカードアダプタモジュール。
【請求項８】
基板上に設置されたベースと、ベース上をスライドして開放或いは閉合しメモリカードを収容するトレイを具え、該トレイの底部に複数の端子が設けられ、該トレイの前縁に限位手段が設けられ、該限位手段がストッパ板と少なくとも一つの弾性手段を具え、トレイがスライドさせられ開放されてメモリカードが収容される時、ストッパ板が前向きに回転した後に弾性手段の回復によりメモリカードを係止し、メモリカードの入出力端子がトレイ底部の端子と接触させられ、トレイがスライドさせられて閉合させられる時、端子が基板の接点と電気的に連接されることを特徴とする、トレイ式メモリカードアダプタモジュール。
【請求項９】
請求項８に記載のトレイ式メモリカードアダプタモジュールにおいて、限位手段がさらに連動片を具え、ストッパ板が前向きにやや回転すると同時にその下方の連動片の底端を駆動して上向きに起こし、連動片にメモリカードを押し上げさせて、使用者がトレイよりメモリカードを取り出すのに便利とすることを特徴とする、トレイ式メモリカードアダプタモジュール。
【請求項１０】
請求項８に記載のトレイ式メモリカードアダプタモジュールにおいて、ベースに装置ケースに固定するための上蓋が設けられ、ベースの両側に別にスライドレールが設けられ、そのうち一側に一組のカード退出手段が設けられ、トレイの両側にベースのスライドレールに対応する案内溝が設けられ、トレイがベース上にあってスライドさせられ閉合させられるか、或いはカード退出手段が押圧されることによりトレイが開放されることを特徴とする、トレイ式メモリカードアダプタモジュール。
【請求項１１】
請求項８に記載のトレイ式メモリカードアダプタモジュールにおいて、ベースの底部に若干の貫通孔が設けられて基板の接点に対応し、トレイがスライドさせられて閉合させられる時、端子が貫通孔と整合し、並びに貫通孔を透過して基板の接点と電気的に連接されることを特徴とする、トレイ式メモリカードアダプタモジュール。
【発明の詳細な説明】
【０００１】
【発明の属する技術分野】
本発明は一種のトレイ式メモリカードアダプタモジュールに係り、特に、少なくとも、コンパクトフラッシュ（登録商標）、スマートメディア（登録商標）、マルチメディア、セキュアディジタル及びメモリースティック等のメモリカードと基板との連接に応用されて、メモリカードが基板と双方向のデータ伝送を行い読み書きを行えるようにする、トレイ式メモリカードアダプタモジュールに関する。
【０００２】
【従来の技術】
周知のメモリカードアダプタはスロット状とされ、装置ケース１内の基板に固定され（図１参照）、この装置ケース１にはメモリカード２の抜き差しに供される挿入口が設けられ、メモリカード２が挿入口より装置ケース１に挿入される時、装置ケース１内のメモリカードアダプタと電気的に連接され、並びにメモリカードアダプタを透過して装置ケース１内の基板と連接される。
【０００３】
上述のメモリカード２は規格の違い（少なくとも、コンパクトフラッシュ（登録商標）、スマートメディア（登録商標）、マルチメディア、セキュアディジタル及びメモリースティックを含む）により、異なる位置に若干の入出力端子を具え、その共同の使用方式は、メモリカード２が装置ケース１に挿入される行程中にあって、その入出力端子がメモリカードアダプタの弾性端子と摩擦接触し、メモリカードが挿入され位置決めされる時、メモリカード２がメモリカードアダプタの弾性端子と緊密な接触状態を形成するというものである。
【０００４】
言い換えると、メモリカード２はその抜き差しの過程で、その入出力端子がメモリカードアダプタの弾性端子と不断に摩擦し、長く使用すると、メモリカード２の入出力端子が磨損し、且つ一旦入出力端子が磨損すると、全体のメモリカード２が使用不能となり、重要なデータの流失を形成する。メモリカード２がますます普及する今日にあって、その欠点の解決は重要である。
【０００５】
【発明が解決しようとする課題】
本発明の主要な目的は、一種のトレイ式メモリカードアダプタモジュールを提供することにあり、それは、メモリカードがトレイに収容された後、トレイがスライドさせられ位置決めされて始めて、貫通孔を透過して基板の接点と電気的に連接し、これによりメモリカードをメモリカードアダプタに収容する過程で、その入出力端子がアダプタ端子と摩擦を発生せず、これにより入出力端子の磨損を防止でき、メモリカードの使用寿命を延長できるものとする。
【０００６】
本発明の次の目的は、一種のトレイ式メモリカードアダプタモジュールを提供することにあり、それは、メモリカードの入出力端子がアダプタ端子と滑動摩擦を発生せず、メモリカードの放置方向に制限がなく、異なる寸法規格のメモリカードがメモリカードアダプタの収容空間を共用でき、すなわち同一のメモリカードアダプタに多種類の異なる規格のメモリカードを放置でき、間接的に異なる規格のメモリカードの間のデータを流通させられるものとする。
【０００７】
本発明の別の目的は、一種のトレイ式メモリカードアダプタモジュールを提供することにあり、それはトレイ前縁に限位手段が設けられ、メモリカードをメモリカードアダプタに放置する時、自動的にメモリカードが係止制圧されて位置決め保持され、メモリカードを取り出す時は、限位手段によるメモリカード位置決め状態を解除することにより、メモリカードを簡単に取り出せ、使用に便利な目的を達成するものとする。
【０００８】
【課題を解決するための手段】
請求項１の発明は、基板上に設置されたベース、ベース上をスライドして開放或いは閉合してメモリカードを収容するトレイで組成され、該ベースの底部に若干の貫通孔が設けられて基板の接点に対応し、トレイ底部に貫通孔に対応する複数の端子が設置され、トレイがスライドさせられて開放されてメモリカードが収容される時、端子がメモリカードの入出力端子と接触し、トレイがスライドさせられ閉合される時、端子が貫通孔と整合し、並びに貫通孔を透過して基板の接点と電気的に連接されることを特徴とする、トレイ式メモリカードアダプタモジュールとしている。
請求項２の発明は、請求項１に記載のトレイ式メモリカードアダプタモジュールにおいて、ベースに装置ケースに固定するための上蓋が設けられ、ベースの両側に別にスライドレールが設けられ、そのうち一側に一組のカード退出手段が設けられ、トレイの両側にベースのスライドレールに対応する案内溝が設けられ、トレイがベース上にあってスライドさせられ閉合させられるか、或いはカード退出手段が押圧されることによりトレイが開放されることを特徴とする、トレイ式メモリカードアダプタモジュールとしている。
請求項３の発明は、請求項１に記載のトレイ式メモリカードアダプタモジュールにおいて、トレイの前縁に設けられた限位手段がトレイ上のメモリカードを位置決めすることを特徴とする、トレイ式メモリカードアダプタモジュールとしている。
請求項４の発明は、基板上に設置されたベースと、ベース上をスライドして開放或いは閉合しメモリカードを収容するトレイを具え、該トレイの底部に複数の端子が設けられ、該端子がトレイ本体に固定される固定端と、それぞれ上向き、下向きに折り曲げられた第１弾性接触端、第２弾性接触端を具え、トレイがスライドさせられ開放されてメモリカードが収容される時、第１弾性接触端がメモリカードの入出力端子と接触し、トレイがスライドさせられ閉合される時、第２弾性接触端がベース下方の基板の接点と電気的に連接されることを特徴とする、トレイ式メモリカードアダプタモジュールとしている。
請求項５の発明は、請求項４に記載のトレイ式メモリカードアダプタモジュールにおいて、ベースに若干の貫通孔が設けられて基板の接点と対応し、トレイがスライドさせられて閉合させられる時、第２弾性接触端が貫通孔と整合し、並びに貫通孔を透過して基板の接点と電気的に接触させられることを特徴とする、トレイ式メモリカードアダプタモジュールとしている。
請求項６の発明は、請求項４に記載のトレイ式メモリカードアダプタモジュールにおいて、ベースに装置ケースに固定するための上蓋が設けられ、ベースの両側に別にスライドレールが設けられ、そのうち一側に一組のカード退出手段が設けられ、トレイの両側にベースのスライドレールに対応する案内溝が設けられ、トレイがベース上にあってスライドさせられ閉合させられるか、或いはカード退出手段が押圧されることによりトレイが開放されることを特徴とする、トレイ式メモリカードアダプタモジュールとしている。
請求項７の発明は、請求項４に記載のトレイ式メモリカードアダプタモジュールにおいて、トレイの前縁に設けられた限位手段がトレイ上のメモリカードを位置決めすることを特徴とする、トレイ式メモリカードアダプタモジュールとしている。
請求項８の発明は、基板上に設置されたベースと、ベース上をスライドして開放或いは閉合しメモリカードを収容するトレイを具え、該トレイの底部に複数の端子が設けられ、該トレイの前縁に限位手段が設けられ、該限位手段がストッパ板と少なくとも一つの弾性手段を具え、トレイがスライドさせられ開放されてメモリカードが収容される時、ストッパ板が前向きに回転した後に弾性手段の回復によりメモリカードを係止し、メモリカードの入出力端子がトレイ底部の端子と接触させられ、トレイがスライドさせられて閉合させられる時、端子が基板の接点と電気的に連接されることを特徴とする、トレイ式メモリカードアダプタモジュールとしている。
請求項９の発明は、請求項８に記載のトレイ式メモリカードアダプタモジュールにおいて、限位手段がさらに連動片を具え、ストッパ板が前向きにやや回転すると同時にその下方の連動片の底端を駆動して上向きに起こし、連動片にメモリカードを押し上げさせて、使用者がトレイよりメモリカードを取り出すのに便利とすることを特徴とする、トレイ式メモリカードアダプタモジュールとしている。
請求項１０の発明は、請求項８に記載のトレイ式メモリカードアダプタモジュールにおいて、ベースに装置ケースに固定するための上蓋が設けられ、ベースの両側に別にスライドレールが設けられ、そのうち一側に一組のカード退出手段が設けられ、トレイの両側にベースのスライドレールに対応する案内溝が設けられ、トレイがベース上にあってスライドさせられ閉合させられるか、或いはカード退出手段が押圧されることによりトレイが開放されることを特徴とする、トレイ式メモリカードアダプタモジュールとしている。
請求項１１の発明は、請求項８に記載のトレイ式メモリカードアダプタモジュールにおいて、ベースの底部に若干の貫通孔が設けられて基板の接点に対応し、トレイがスライドさせられて閉合させられる時、端子が貫通孔と整合し、並びに貫通孔を透過して基板の接点と電気的に連接されることを特徴とする、トレイ式メモリカードアダプタモジュールとしている。
【０００９】
【発明の実施の形態】
本発明のトレイ式メモリカードアダプタモジュールは、基板上に設置されたベース、ベース上をスライドして開放或いは閉合するトレイで組成され、そのうちベースの底部に若干の貫通孔が設けられて基板の接点に対応し、トレイ底部の貫通孔に対応する位置に複数の端子が設置され、トレイがスライドさせられ開放されてメモリカードが収容される時、端子がメモリカードの入出力端子と接触し、トレイがスライドさせられ閉合される時、端子が貫通孔と整合し、並びに貫通孔を透過して基板の接点と電気的に連接されることを特徴とする。
【００１０】
【実施例】
図２から図４に示されるように、本発明のトレイ式メモリカードアダプタモジュールは、ベース１０及びトレイ２０で組成されている。
該ベース１０は装置ケースの基板上に設置され、その上方にさらに装置ケースへの固定に用いられる上蓋１１が設けられ、ベース１０の両側に別にスライドレール１２が設けられ、そのうち一側に一組のカード退出手段１３が設けられ、ベース１０の底部に若干の貫通孔１４が設けられて基板の接点に対応している（図７も参照されたい）。
【００１１】
トレイ２０の中央は収容空間２１とされて、数種類の異なる規格のメモリカード３０を収容でき、その両側に、ベース１０のスライドレール１２に対応して案内溝２２が設けられ、トレイ２０がベース１０上にあってスライドして開放或いは閉合可能とされ、トレイ２０の前縁に限位手段４０が設けられ、底部の、貫通孔１４に対応して複数の端子５０が設けられている。
【００１２】
トレイ２０がスライドさせられ開放されてその収容空間２１にメモリカード３０が収容される時、限位手段４０はメモリカード３０を位置決めし、且つ端子５０がメモリカード３０の入出力端子と接触し、トレイ２０がスライドさせられて閉合される時、端子５０は貫通孔１４と整合し、並びに貫通孔１４を透過して基板の接点と電気的に連接される。メモリカード３０を取り出すときには、カード退出手段１３を押圧すれば、トレイ２０がスライドして開放され、使用者がメモリカード３０を取り出すことができる。
【００１３】
図４から図７に示されるように、本発明を実施する時、前述のトレイ２０底部に貫通孔１４に対応して設置された複数の端子５０は固定端５１と第１弾性接触端５２、第２弾性接触端５３を具え、そのうち固定端５１はトレイ２０本体に固定され、第１弾性接触端５２、第２弾性接触端５３はそれぞれ上向き、下向きに折り曲げられる。
【００１４】
トレイ２０にメモリカード３０を収容する時、メモリカード３０底部の入出力端子３１が上向きに折り曲げられた第１弾性接触端５２と接触し、トレイ２０をスライドさせて閉合させる時、端子５０の下向きに折り曲げられた第２弾性接触端５３が貫通孔１４と整合し、並びに貫通孔１４を透過して基板６０の接点６１と電気的に連接する。このとき、メモリカード３０底部の入出力端子は端子５０を透過して基板６０の接点６１と電気的に連接され、メモリカード３０が基板と双方向のデータ伝送を行い読み書きを実行する。
【００１５】
また、図５、６に示されるのは実施時の二種類の異なる形状の端子５０、５０’であり、トレイ２０がスライドする時、第２弾性接触端５３’がベース１０と摩擦し、第２弾性接触端５３’が貫通孔１４と整合する時、第２弾性接触端５３’が自動的に貫通孔１４に弾性嵌入して基板６０の接点６１と電気的に連接される。これにより第２弾性接触端５３’の下向きに折り曲げられる方向はトレイ２０のスライド方向と同じでなければならず、これによりスライド時の第２弾性接触端５３’とベース１０の間の摩擦抵抗を減らす。
【００１６】
このほか、端子５０、５０’の第１弾性接触端、第２弾性接触端のそれぞれ上向き、下向きに折り曲げられた設計は、第２弾性接触端５３、５３’の下向きの折り曲げの方向がトレイ２０のスライド方向と同じとされる状況にあって、第１弾性接触端５２、５２’の方向が制限されず、且つメモリカード３０の入出力端子３１がアダプタ端子５０、５０’とスライド摩擦しえないため、メモリカード３０の放置方向が制限を受けず、異なる寸法規格のメモリカード３０がメモリカードアダプタのトレイ２０の収容空間２１を共用でき、すなわち同一のメモリカードアダプタが多種類の異なる規格のメモリカード３０の放置を許容し、間接的に異なる規格のメモリカード間のデータを流通させることができる。
【００１７】
前述の実施例中、メモリカード３０がトレイ２０上に置かれ、その底部の入出力端子３１が上向きに折り曲げられた第１弾性接触端５２と接触する時、第１弾性接触端５２が上向きの反作用力を発生して、メモリカード３０を押し上げる。ゆえに前述の限位手段４０がメモリカード３０を位置決めした後、メモリカード３０の入出力端子３１と第１弾性接触端５２の間に緊密な接触状態が保持される。
【００１８】
図２及び図８、９に示されるように、前述の限位手段４０を実施する時、さらにストッパ板４１、少なくとも一つの弾性手段４２、及び一つの連動片４３を具えたものとされ得る。そのうち、ストッパ板４１はトレイ２０前縁に枢接されて前後に回転可能で、その内縁に下向きに傾斜するフック４４が設けられ、且つストッパ板４１が前向きに回転する時、弾性手段４２が弾性回復力を発生し、ストッパ板４１下方の連動片４３の底端を駆動して上向きに起こす。
【００１９】
メモリカード３０が下向きにトレイ２０に置かれ、その側辺がフック４４の斜面を押圧する時、ストッパ板４１がやや前向きに回転し、並びに弾性手段４２に弾性回復力を発生させ、これによりメモリカード３０側辺がフック４４を通過した後、ストッパ板４１が弾性手段４２の作用力によりもとの位置に回復し、フック４４がメモリカード３０の側辺上方を阻止し、自動限位の作用を形成する。
【００２０】
メモリカード３０を取り出す時は、ストッパ板４１をやや前向きに回転させるとその下方の連動片４３底端が上向きに起き、連動片４３がメモリカード３０を持ち上げ、これにより使用者がトレイ２０よりメモリカード３０を取り出すのに便利とされる。このほか、図７にも示されるように、前述の実施例中、メモリカード３０がトレイ２０に置かれる時、第１弾性接触端５２もまた上向きの反作用力を発生してメモリカード３０を押し上げ、これによりメモリカード３０がストッパ板４１のフック４４の限位より離脱する時、メモリカード３０をそれ以上下圧せず、取り出しやすい状態を保持し、こうして使用に便利な目的を達成する。
【００２１】
上述の各部品の名称は本発明の技術内容を説明するのに便利であるように定めたものであり、本発明の権利範囲を限定するものではなく、本発明の精神に基づきなしうる細部の変化或いは修飾は、いずれも本発明の請求範囲に属するものとする。
【００２２】
【発明の効果】
本発明は一種のトレイ式メモリカードアダプタモジュールを提供し、それは、特に、少なくとも、コンパクトフラッシュ（登録商標）、スマートメディア（登録商標）、マルチメディア、セキュアディジタル及びメモリースティック等のメモリカードと基板との連接に応用されて、メモリカードが基板と双方向のデータ伝送を行い読み書きを行えるようにする、トレイ式メモリカードアダプタモジュールである。
【図面の簡単な説明】
【図１】従来の技術中の装置ケースにメモリカードを抜き差しする状態の立体図である。
【図２】本発明の立体分解図である。
【図３】本発明の組合せ立体図である。
【図４】本発明に数種類の異なる規格のメモリカードを収容する表示図である。
【図５】本発明中の端子の第１実施例図である。
【図６】本発明中の端子の第２実施例図である。
【図７】本発明中のベース、トレイ、端子及びメモリカードの連接関係表示図である。
【図８】本発明中の限位手段の動作表示図である。
【図９】本発明中の限位手段の動作表示図である。
【符号の説明】
１０　ベース　　　　　１１　上蓋
１２　スライドレール　１３　カード退出手段
１４　貫通孔　　　　　２０　トレイ
２１　収容空間　　　　２２　案内溝
３０　メモリカード　　４０　限位手段
４１　ストッパ板　　　４２　弾性手段
４３　連動片　　　　　５０　端子
５１　固定端　　　　　５２　第１弾性接触端
５３　第２弾性接触端　６０　基板
６１　接点
【図１】
2004079494.tif 000003
【図２】
2004079494.tif 000004
【図３】
2004079494.tif 000005
【図４】
2004079494.tif 000006
【図５】
2004079494.tif 000007
【図６】
2004079494.tif 000008
【図７】
2004079494.tif 000009
【図８】
2004079494.tif 000010
【図９】
2004079494.tif 000011